(57)【特許請求の範囲】
【請求項１】
底面部と該底面部の両端から上方向に延設した側面部とから構成される断面略Ｕ字形状の排水溝部材の外側に、前記排水溝部材の形状に対応して、底面部と該底面部の両端から上方向に延設した側面部とから構成される断面略Ｕ字形状の発泡合成樹脂からなる外側断熱部材を嵌着する断熱排水溝部材であって、
前記排水溝部材の側面部の上端には、外側に突設した鍔部が形成されており、該鍔部が前記外側断熱部材の上端面を被覆しており、
さらに、前記排水溝部材の鍔部に固定用孔部が形成されており、該固定用孔部を介して係止部材により、前記排水溝部材と外側断熱部材とを相互に固定し、
さらに、前記排水溝部材の長手方向の一側端部に、前記外側断熱部材の同側端部よりも外側に突設した嵌着用係合部が形成され、かつ前記排水溝部材の長手方向の他側端部の内面に嵌着用凹部が形成され、前記嵌着用係合部を突き合わされる別の排水溝部材の前記嵌着用凹部に嵌合することによって、長手方向に複数の断熱排水溝部材を延設可能に構成したしたことを特徴とする断熱排水溝部材。
【請求項２】
前記排水溝部材の内側表面には、前記底面部から両側面部に至る複数の横方向リブ部が、長手方向に一定間隔離間して突設して形成されていることを特徴とする請求項１に記載の断熱排水溝部材。
【請求項３】
前記排水溝部材の外側表面には、前記排水溝部材の内側表面に形成された横方向リブ部に対応する部分に凹溝部が形成され、前記外側断熱部材の内側表面には、この排水溝部材の凹溝部に嵌着する突設部が形成されており、前記突設部を凹溝部に嵌着することにより、前記排水溝部材と外側断熱部材とを相互に固定したことを特徴とする請求項１または２に記載の断熱排水溝部材。
【発明の詳細な説明】
【０００１】
【発明の属する技術分野】
本発明は、排水溝を構築するために用いられる断熱排水溝部材に関する。
【０００２】
【従来の技術】
従来より、例えば、ゴルフ場などにおいて、排水溝１００を構築するために、図７に示したように、ポリエチレン、ポリプロピレンなどの合成樹脂からなる長尺状の断面略Ｕ字形状の排水溝部材１０１を、地面を掘削することによって設けた溝孔Ａに埋設して、排水溝部材の上端部に外側に設けた鍔部１０２に設けた固定用孔１０３を介して、固定用の釘、ピンなどの係止部材１０４を打ちつけることによって地面に固定している。
【０００３】
【発明が解決しようとする課題】
しかしながら、このように構築した排水溝１００では、冬場において、放射冷却などにより、排水溝部材周辺の地面が凍結した場合には、排水溝部材１０１周辺の地面Ｂが膨張するために、排水溝部材１０１が圧迫されたり、持ち上げられたりするために、排水溝部材１０１自体が破損、損傷したり、係止部材１０４が抜け落ちたりして、排水溝として機能し得ないことがあった。
【０００４】
本発明は、このような実情に鑑み、冬場においても排水溝周辺の地面が放射冷却などによって凍結することがなく、排水溝として常時機能することができる断熱排水溝部材を提供することを目的とする。
【０００５】
【課題を解決するための手段】
本発明は、このような従来技術の課題及び目的を達成するために発明なされたものであって、本発明の断熱排水溝部材は、底面部と該底面部の両端から上方向に延設した側面部とから構成される断面略Ｕ字形状の排水溝部材の外側に、前記排水溝部材の形状に対応して、底面部と該底面部の両端から上方向に延設した側面部とから構成される断面略Ｕ字形状の発泡合成樹脂からなる外側断熱部材を嵌着する断熱排水溝部材であって、
前記排水溝部材の側面部の上端には、外側に突設した鍔部が形成されており、該鍔部が前記外側断熱部材の上端面を被覆しており、
さらに、前記排水溝部材の鍔部に固定用孔部が形成されており、該固定用孔部を介して係止部材により、前記排水溝部材と外側断熱部材とを相互に固定し、
さらに、前記排水溝部材の長手方向の一側端部に、前記外側断熱部材の同側端部よりも外側に突設した嵌着用係合部が形成され、かつ前記排水溝部材の長手方向の他側端部の内面に嵌着用凹部が形成され、前記嵌着用係合部を突き合わされる別の排水溝部材の前記嵌着用凹部に嵌合することによって、長手方向に複数の断熱排水溝部材を延設可能に構成したことを特徴とする。
【０００６】
このように構成することによって、断面略Ｕ字形状の排水溝部材の外側に排水溝部材の形状に対応して断面略Ｕ字形状の発泡合成樹脂からなる外側断熱部材を嵌着してあるので、冬場において排水溝部材周辺の地面が、発泡合成樹脂からなる外側断熱材で断熱されることになるので、凍結するのが防止され、排水溝部材が破損、損傷することがないので、排水溝として常時機能することができる。
また、外側断熱部材の上端面が排水溝部材の上端に突設した鍔部によって被覆されているので、外側断熱部材の劣化を防止することができる。
さらに、固定用孔部を介して係止部材を挿入すれば、外側断熱部材を排水溝部材の外側に強固に固定することができる。
また、外側に突設した係合部を別の排水溝部材の他端側の嵌着用凹部に嵌合することによって、複数の排水溝部材を簡単容易に接続して排水溝を構成することが可能である。
【０００７】
また、本発明の断熱排水溝部材は、前記排水溝部材の内側表面には、前記底面部から両側面部に至る複数の横方向リブ部が、長手方向に一定間隔離間して突設して形成されていることを特徴とする。
【０００８】
これによって、複数の横方向リブ部が補強的機能をなし、排水溝として横方向ならびに長手方向とも強度的に強い排水溝を提供できる。
さらに、本発明の断熱排水溝部材は、前記排水溝部材の外側表面には、前記排水溝部材の内側表面に形成された横方向リブ部に対応する部分に凹溝部が形成され、前記外側断熱部材の内側表面には、この排水溝部材の凹溝部に嵌着する突設部が形成されており、前記突設部を凹溝部に嵌着することにより、前記排水溝部材と外側断熱部材とを相互に固定したことを特徴とする。
【０００９】
これによって、横方向リブ部に対応する部分に形成された凹溝部に、外側断熱部材に形成された突設部が嵌着するので、さらに強度的に強くなるとともに、この部分が係止部分となって、外側断熱部材を排水溝部材の外側に固定することができる。
【００１５】
【発明の実施の形態】
以下、図面を参照しながら本発明の実施例について説明する。
図１は、本発明の断熱排水溝部材の斜視図、図２は、図１の断熱排水溝部材の分解斜視図、図３は、図１に示した断熱排水溝部材の使用状態を説明する上面図、図４は、図３のＡ−Ａ線についての断面図である。
【００１６】
図１及び図２において、本発明の断熱排水溝部材１は、底面部２と底面部２の両端から上方向に延設した側面部３，４と、側面部３，４の上端から外方向に突設した鍔部５，６とから構成される断面略Ｕ字形状の樋形状の排水溝部材７を備えている。
【００１７】
この排水溝部材７の底面部２の内側表面８には、内側に突設して横方向に延びた長尺状の底部リブ９が突設され、底部リブ９の両端から連続して側面部３，４に沿って内側に突設した側部リブ１０，１１が突設されており、これら底部リブ９と側部リブ１０，１１によって横方向リブ１２が形成されている。なお、この側部リブ１０，１１は、その突設厚さが、側面部３，４に沿って上方にいくにつれて薄くなるように形成されている。そして、このような横方向リブ１２が、排水溝部材７の長手方向に一定間隔離間して複数個形成されている。これによって、複数の横方向リブ１２が補強的機能をなし、排水溝として横方向ならびに長手方向とも強度的に強い排水溝を提供できる。
【００１８】
また、排水溝部材７の一方側の端部１３の内面には、底面部２から側面部３，４に至る嵌着用凹部１４が形成されており、図４に示したように、地面を予め掘削することによって設けた溝孔Ａに埋設する際に、突き合わされる別の排水溝部材７の他方側の端部１５に設けた嵌着用係合部１６をこの嵌着用凹部１４に嵌合することによって、長手方向に複数の断熱排水溝部材１を延設できるようになっている。このように構成することによって、複数の断熱排水溝部材１を簡単容易に接続して排水溝を構成することが可能となっている。
【００１９】
さらに、排水溝部材７の鍔部５，６の両端部にはそれぞれ、係止用孔５ａ，５ｂ，６ａ，６ｂが設けられており、図３に示したように、複数の断熱排水溝部材１を長手方向に延設する際に、排水溝部材７の一側の端部１３に設けられた係止用孔５ａ，６ａに、突き合わされる別の排水溝部材７の他方側の端部１５に設けた係止用孔５ｂ，６ｂを重ね合わせて、釘などの係止部材１７によって、排水溝部材７の外側に嵌着した外側断熱部材２０に係止固定するようになっている。これにより、断熱排水溝部材１同士を相互に固定できるとともに、外側断熱部材２０を排水溝部材７の外側に強固に固定することができるようになっている。なお、この場合、図示しないが、鍔部５，６の長手方向に係止用孔を一定間隔離間して複数個設けて、これらの係止用孔を介して釘などによって、外側断熱部材２０を排水溝部材７の外側に強固に固定するようにしてもよい。
【００２０】
なお、排水溝部材７としては、ポリエチレン、ポリプロピレンなどの合成樹脂が好ましいが、特にこれらに限定されるものではなく、これら以外でも、例えば、ボンデ鋼板、スチール板、亜鉛びき鉄板などの金属製、防水処理を施した木製、アルミ蒸着した防水処理を施した強化紙などの紙製とすることも可能である。
【００２１】
このように構成される排水溝部材７の外側には、ポリエチレン、ポリプロピレンなどの発泡合成樹脂からなる外側断熱部材２０が嵌着されている。この外側断熱部材２０は、底面部２１と、底面部の両端から上方向に延設した側面部２２，２３とから構成された断面略Ｕ字形状であって、これらの内面には、排水溝部材７の横方向リブ１２、嵌着用凹部１４に対応する形状の横方向突設部２４、嵌着用凹部２５がそれぞれ形成されている。
【００２２】
これによって、排水溝部材７の横方向リブ部１２、嵌着用凹部１４によって排水溝部材７の外側に形成される凹溝１２’と凸部１４’に、外側断熱部材２０の横方向突設部２４、嵌着用凹部２５が嵌着して排水溝部材７と外側断熱部材２０とを相互に固定できるとともに、このような嵌着によって強度的にも強くなるように構成されている。
【００２３】
また、この嵌着の際に、排水溝部材７の側面部の上端に外側に突設した鍔部５，６が、外側断熱部材２０の側面部２２，２３の上端面２６，２７によって被覆され外側断熱部材の劣化を防止することができる。
【００２４】
この場合、外側断熱部材２０を構成する樹脂発泡体としては、特に限定されるものではなく、例えば、発泡ポリスチレン、発泡ポリウレタン、発泡ポリ塩化ビニルまたは発泡ポリオレフィン等のように、合成樹脂を発泡させたものであり、この発泡倍率は、例えば５〜１００倍、好ましくは、２０〜８０倍、更に好ましくは、３０〜７０倍程度であればよい。また、外側断熱部材２０の厚さも特に限定されるものではない。このように、外側断熱部材２０を発泡合成樹脂で構成することにより、軽量化が図れるとともに、排水溝として高い断熱性能と腐蝕の防止とコストダウンを図ることができる。
【００２５】
なお、排水溝部材７の外側に外側断熱部材２０を嵌着するには、このように嵌合する方法でもよいが、排水溝部材７の外側に接着剤を介して外側断熱部材２０を接着するようにして固定を強固にすることも可能であり、また、排水溝部材７と外側断熱部材２０を一体成形にて製造することも可能である。
【００２６】
さらに、本実施例では、外側断熱部材２０の内面に、排水溝部材７の横方向リブ１２に対応する形状の横方向突設部２４を形成したが、図示しないが、横方向突設部２４を形成しないで、外側断熱部材２０の内面を平坦として、排水溝部材７の外側に形成される凹溝１２'を空間として断熱性を保持させるようにすることも可能である。この場合には、外側断熱部材２０を作製するための金型の構造が簡単となり、コストが低下する。
【００２７】
また、図５に示したように、排水溝部材７の側面部の上端に外側に突設した鍔部５，６を、外側断熱部材２０の側面部２２，２３の上端面２６，２７よりも外方に延設して、係止用孔２８，２９を一定間隔長手方向に設けて、地面を予め掘削することによって設けた溝孔Ａに埋設する際に、くいなどの係止部材３０によって地面に固定できるようになっている。
【００２８】
さらに、本実施例の場合には、図１に示したように、長尺状の断熱排水溝部材１を示したが、図６に示したように、カーブ形状の断熱排水溝部材１として、これを接合部に用いることも勿論可能である。
【００２９】
【発明の効果】
本発明は、上記のような構成であるので、断面略Ｕ字形状の排水溝部材の外側に排水溝部材の形状に対応して断面略Ｕ字形状の発泡合成樹脂からなる外側断熱部材を嵌着してあるで、冬場において排水溝部材周辺の地面が、発泡合成樹脂からなる外側断熱材で断熱されることになるので、凍結するのが防止され、排水溝部材が破損、損傷することがないので、排水溝として常時機能することができる断熱排水溝部材を提供することが可能である。
【００３０】
また、複数の横方向リブ部が、長手方向に一定間隔離間して突設して形成されているので、複数の横方向リブ部が補強的機能をなし、排水溝として横方向ならびに長手方向とも強度的に強い排水溝を提供できる。
【００３１】
さらに、横方向リブ部に対応する部分に形成された凹溝部に、外側断熱部材に形成された突設部が嵌着するので、さらに強度的に強くなるとともに、この部分が係止部分となって、外側断熱部材を排水溝部材の外側に固定することができる。
【００３２】
また、外側断熱部材の上端面が排水溝部材の上端に外側に突設した鍔部によって被覆されているので、外側断熱部材の劣化を防止することができる。
さらに、固定用孔部を介して係止部材により、前記排水溝部材と外側断熱部材とを相互に固定してあるので、外側断熱部材を排水溝部材の外側に強固に固定することができる。
【００３３】
また、排水溝部材の長手方向の一側端部が、前記外側断熱部材の同側端部よりも外側に突設した係合部が形成され、前記係合部を突き合わされる別の排水溝部材の他端側の内側に嵌合することによって、長手方向に複数の断熱排水溝部材を延設可能に構成したものでは、複数の排水溝部材を簡単容易に接続して排水溝を構成することが可能である。
【図面の簡単な説明】
【図１】図１は、本発明の断熱排水溝部材の斜視図である。
【図２】図２は、図１の断熱排水溝部材の分解斜視図である。
【図３】図３は、図１に示した断熱排水溝部材の使用状態を説明する上面図である。
【図４】図４は、図３のＡ−Ａ線についての断面図である。
【図５】図５は、本発明の断熱排水溝部材の別の実施例の図４と同様な断面図である。
【図６】図６は、本発明の断熱排水溝部材の別の実施例の図２と同様な分解斜視図である。
【図７】図７は、従来の断熱排水溝部材の使用状態を説明する斜視図である。
【符号の説明】
１・・・・断熱排水溝部材
２・・・・底面部
３，４・・・・側面部
５，６・・・・鍔部
５ａ，５ｂ，６ａ，６ｂ・・・・係止用孔
７・・・・排水溝部材
１２・・・・横方向リブ
１４・・・・嵌着用凹部
１６・・・・嵌着用係合部
１７・・・・係止部材
２０・・・・外側断熱部材
２１・・・・底面部
２２，２３・・・・側面部
２４・・・・横方向突設部
２５・・・・嵌着用凹部
【図１】
0003872578.tif 000002
【図２】
0003872578.tif 000003
【図３】
0003872578.tif 000004
【図４】
0003872578.tif 000005
【図５】
0003872578.tif 000006
【図６】
0003872578.tif 000007
【図７】
0003872578.tif 000008